(57)【要約】【課題】  汎用的に使用されるＵＳＢコネクタ用レセプタクルをそのまま利用することが可能で、かつ、差し込んだＵＳＢコネクタ用プラグの抜き取りを不可とするロック機構付きＵＳＢコネクタ用プラグの提供。【解決手段】  本発明のロック機構付きＵＳＢコネクタ用プラグ１０は、断面矩形で両端が解放した筒体からなるプラグシェル１２と、プラグシェル１２の内部に設けられ、外面にプラグ導電端子２４が固定された端子固定部２２と、周辺機器等に電気的に接続するための複数の導線３４が内部に設けられたケーブル３２と、プラグ導電端子２４と導線３４とを電気的に接続するための端子接続部３６と、プラグシェル１２の一部とケーブル３２の一端と端子接続部３６とを内部に収納するプラグハウジング３８とから概略構成されている。【選択図】図２
2009170391.tif 000002
【特許請求の範囲】
【請求項１】
断面矩形で両端が解放した筒体からなるプラグシェルと、
内部に空隙を備えた端子固定部と、
前記プラグシェルの一部を内部に収納するプラグハウジングとからなり、
前記プラグシェルは係止部を備えていることを特徴とするロック機構付きＵＳＢコネクタ用プラグ。
【請求項２】
前記係止部は、
前記プラグシェルの一側面に設けられ、前記プラグシェルの外部に向かって立設された爪部を有する片持ち状の舌片と、
前記爪部が前記プラグシェルの一側面から出没するように前記舌片を屈曲させる舌片屈曲機構とからなることを特徴とする請求項１に記載のロック機構付きＵＳＢコネクタ用プラグ。
【請求項３】
前記舌片屈曲機構は、
前記端子固定部の空隙に設けられ、前記プラグシェルを構成する筒体の軸線に平行な方向にスライド可能なスライド部と、
前記舌片に設けられ、前記プラグシェルの内部に向かって突出する舌片突出部と、
前記スライド部に設けられ、前記舌片突出部に接触することで前記舌片を屈曲させるスライド突出部とからなることを特徴とする請求項２に記載のロック機構付きＵＳＢコネクタ用プラグ。
【請求項４】
前記スライド部をスライドさせて前記スライド突出部を前記舌片突出部に接触させることで前記舌片を屈曲させ、前記爪部を前記プラグシェルの一側面から突出させることで前記プラグシェルをレセプタクルシェルに係止可能とすることを特徴とする請求項３に記載のロック機構付きＵＳＢコネクタ用プラグ。
【請求項５】
前記スライド部をスライドさせて前記スライド突出部と前記舌片突出部との接触を解除させることで前記舌片の屈曲を解除し、前記爪部を前記プラグシェルの一側面から突出させることで前記プラグシェルをレセプタクルシェルに係止可能とすることを特徴とする請求項３に記載のロック機構付きＵＳＢコネクタ用プラグ。
【請求項６】
さらに、ロック機構を有することを特徴とする請求項１乃至請求項５に記載のロック機構付きＵＳＢコネクタ用プラグ。
【発明の詳細な説明】
【技術分野】
【０００１】  本発明は、ＵＳＢコネクタ用プラグに関し、詳しくはパーソナルコンピュータやワークステーション等のコンピュータ本体に取り付けられた、ＵＳＢコネクタ用レセプタクルに挿入後、抜き取り不可となるＵＳＢコネクタ用プラグに関する。
【背景技術】
【０００２】  コンピュータ本体とコンピュータ用周辺機器、またはコンピュータ本体同士やコンピュータ用周辺機器同士等を接続するための規格として、汎用シリアルインターフェースとしてのＵＳＢ（Ｕｎｉｖｅｒｓａｌ  Ｓｅｒｉａｌ  Ｂｕｓ）インターフェイスが利用されている。【０００３】  ＵＳＢコネクタとは、このＵＳＢインターフェイスを用いたコンピュータ本体とコンピュータ用周辺機器等とを接続するために使用されるコネクタである。このＵＳＢインターフェイスに準拠したＵＳＢコネクタの一例として、特許文献１には、トランジスタやコンデンサなどの電子デバイスが実装されたプリント回路板や、電子デバイスが実装されず単に配線導体が形成されたプリント配線板などの回路基板に直付けされるＵＳＢコネクタ用レセクタブル１０１と、このＵＳＢコネクタ用レセクタブル１０１に差し込まれるＵＳＢコネクタ用プラグ１２０とで構成され、ＵＳＢコネクタ用レセクタブル１０１とＵＳＢコネクタ用プラグ１２０とが嵌合して、コンピュータ本体と周辺機器とが電気的に接続するＵＳＢコネクタが開示されている。【０００４】  このような、ＵＳＢコネクタ用プラグと、ＵＳＢコネクタ用レセクタブルとから構成さるＵＳＢコネクタにより、コンピュータ本体とコンピュータ用プリンタやＵＳＢメモリ等の外部記憶装置等とが接続され、コンピュータ用デジタルデータを容易に転送することが可能となっている。【０００５】  しかし、従来のＵＳＢコネクタは、ＵＳＢコネクタ用レセプタクルに差し込まれたＵＳＢコネクタ用プラグを容易に取り外しすることが可能であるため、コンピュータ本体にＵＳＢコネクタで接続されたＵＳＢメモリや外付けハードディスクドライブ装置等の外部記憶装置の盗難の可能性があった。【０００６】  このような盗難を防止するために、特許文献２には、ＵＳＢコネクタ用レセプタクルにＵＳＢコネクタ用プラグを係止するための係止部を配設し、ＵＳＢコネクタ用プラグがＵＳＢコネクタ用レセプタクルに挿入されると、この係止部が作動してＵＳＢコネクタ用プラグがＵＳＢコネクタ用レセプタクルから抜き取り不可となるＵＳＢコネクタが開示されている。
【特許文献１】  特開２０００−２２３２１８号公報
【特許文献２】  特開２００６−１３３９２０号公報
【発明の開示】
【発明が解決しようとする課題】
【０００７】  しかしながら、特許文献２で提案されているＵＳＢコネクタは、ＵＳＢコネクタ用レセプタクルのレセプタクルシェルに係止部が配設された特殊なものであり、コンピュータ本体内に設けられている通常のＵＳＢコネクタ用レセプタクルをそのまま利用することができなかった。このため、コンピュータ本体のＵＳＢコネクタ用レセプタクルを交換するか、コンピュータ本体を製造する際に、予めこの特殊なＵＳＢコネクタ用レセプタクルを使用しなければならなかった。
【課題を解決するための手段】
【０００８】  この発明の目的は、上述した事情に鑑みなされたもので、この発明の主たる目的は、汎用的に使用されるＵＳＢコネクタ用レセプタクルをそのまま利用することが可能で、かつ、差し込んだＵＳＢコネクタ用プラグの抜き取りを不可とすることである。【０００９】  上述した課題を解決し、目的を達成するため、この発明に係わるロック機構付きＵＳＢコネクタ用プラグは、請求項１の記載によると、断面矩形で両端が解放した筒体からなるプラグシェルと、内部に空隙を備えた端子固定部と、前記プラグシェルの一部を内部に収納するプラグハウジングとからなり、前記プラグシェルは係止部を備えていることを特徴とする。【００１０】  また、この発明に係わるロック機構付きＵＳＢコネクタ用プラグは、請求項２の記載によると、前記係止部は、前記プラグシェルの一側面に設けられ、前記プラグシェルの外部に向かって立設された爪部を有する片持ち状の舌片と、前記爪部が前記プラグシェルの一側面から出没するように前記舌片を屈曲させる舌片屈曲機構とからなることを特徴とする。【００１１】  また、この発明に係わるロック機構付きＵＳＢコネクタ用プラグは、請求項３の記載によると、前記舌片屈曲機構は、前記端子固定部の空隙に設けられ、前記プラグシェルを構成する筒体の軸線に平行な方向にスライド可能なスライド部と、前記舌片に設けられ、前記プラグシェルの内部に向かって突出する舌片突出部と、前記スライド部に設けられ、前記舌片突出部に接触することで前記舌片を屈曲させるスライド突出部とからなることを特徴とする。【００１２】  また、この発明に係わるロック機構付きＵＳＢコネクタ用プラグは、請求項４の記載によると、前記スライド部をスライドさせて前記スライド突出部を前記舌片突出部に接触させることで前記舌片を屈曲させ、前記爪部を前記プラグシェルの一側面から突出させることで前記プラグシェルをレセプタクルシェルに係止可能とすることを特徴とする。【００１３】  また、この発明に係わるロック機構付きＵＳＢコネクタ用プラグは、請求項５の記載によると、前記スライド部をスライドさせて前記スライド突出部と前記舌片突出部との接触を解除させることで前記舌片の屈曲を解除し、前記爪部を前記プラグシェルの一側面から突出させることで前記プラグシェルをレセプタクルシェルに係止可能とすることを特徴とする。【００１４】  また、この発明に係わるロック機構付きＵＳＢコネクタ用プラグは、請求項６の記載によると、さらに、ロック機構を有することを特徴とする。
【発明の効果】
【００１５】  この発明によれば、既存のＵＳＢコネクタ用レセプタクルを利用して、ＵＳＢコネクタ用プラグの取り外しを不可とすることが可能となる。【００１６】  また、この発明によれば、高価で特殊なＵＳＢコネクタ用レセプタクルを使用せずに済むので、ＵＳＢコネクタ用プラグの取り外しを不可とすることが可能となる。【００１７】  また、この発明によれば、使用していないＵＳＢコネクタ用レセクタブルを簡便に使用不可とすることが可能となる。
【発明を実施するための最良の形態】
【００１８】＜第１の実施例＞
以下に本発明に係わるロック機構付きＵＳＢコネクタ用プラグの第１の実施例について図１乃至図７を用いて詳細に説明する。【００１９】  図１は、本発明のロック機構付きＵＳＢコネクタ用プラグがロック（取り外し不可）されている状態を示す外観図である。図２は、図１に示すＸ−Ｘ鎖線での断面図であり、ロック機構付きＵＳＢコネクタ用プラグがロックされている状態を示している。図３は、ロック機構付きＵＳＢコネクタ用プラグがロック解除（取り外し可）されている状態を示す外観図である。図４は、図３に示すＸ’−Ｘ’鎖線での断面図であり、ロック機構付きＵＳＢコネクタ用プラグがロック解除されている状態を示している。【００２０】  図５は、本発明のロック機構付きＵＳＢコネクタ用プラグのプラグシェルの平面図である。図６は、図５に示すプラグシェルのＹ−Ｙ断面図である。図７は、汎用的に用いられるレセプタクルシェルの平面図である。【００２１】  ＵＳＢコネクタは、ＵＳＢインターフェイス規格に準拠したケーブルコネクタであり、主にコンピュータ本体と周辺機器との接続に用いられる。【００２２】  ＵＳＢコネクタは、コンピュータ本体の内部のプリント回路基板などに固定され、プリント回路基板上に配設された回路配線と電気的に接続されるレセプタクル導電端子を内部に設けたレセプタクルシェルを備えるＵＳＢコネクタ用レセプタクルと、レセプタクルシェルと嵌合し、周辺機器に接続するためのケーブルとレセプタクル導電端子とを電気的に接続するためのプラグ導電端子が内部に設けられたプラグシェルを備えるＵＳＢコネクタ用プラグとで構成される。【００２３】  本発明のロック機構付きＵＳＢコネクタ用プラグ１０は、断面矩形で両端が解放した筒体からなるプラグシェル１２と、プラグシェル１２の内部に設けられ、外面にプラグ導電端子２４が固定された端子固定部２２と、周辺機器等に電気的に接続するための複数の導線３４が内部に設けられたケーブル３２と、プラグ導電端子２４と導線３４とを電気的に接続するための端子接続部３６と、プラグシェル１２の一部とケーブル３２の一端と端子接続部３６とを内部に収納するプラグハウジング３８とから概略構成されている。【００２４】  また、プラグシェル１２の４つの側面のうちの一側面には、該一側面に連なる根元部と根元部からプラグシェル１２を構成する筒体の軸線に平行な方向に向かって延びる自由端部とを有する片持ち状の舌片１４が設けられている。また、この舌片１４は、プラグシェル１２の内部に向かって突出する舌片突出部としての湾曲部１６と、プラグシェル１２の外部に向かって立設された爪部１８とを有している。【００２５】  なお、この舌片１４は、無負荷の状態では、爪部１８が舌片１４の設けられているプラグシェル１２の一側面から突出しないようにプラグシェル１２の内部に向かって折り曲げられている。また、舌片１４は、プラグシェル１２の内部からの負荷によって、爪部１８が舌片１４の設けられているプラグシェル１２の一側面から突出するように、根元部を支点に屈曲可能となっている。【００２６】  なお、舌片１４の爪部１８の位置は、レセプタクルシェル６２に設けられたレセプタクルシェル舌片６４の自由端部の側の隙間６６の位��に突出するように設けられている。【００２７】  端子固定部２２は、プラグ導電端子２４が固定された面を外面として、その内部に空隙が設けられている。また、端子固定部２２は、該外面がプラグシェル１２の舌片１４が設けられた一側面に対向する他側面の側となるように、プラグシェル１２の内部に配設されている。【００２８】  また、端子固定部２２は、プラグシェル１２がレセプタクルシェル６２に嵌合する一端の側に、端子固定部２２の内部の空隙が解放しないように壁面２６が設けられている。このため、プラグシェル１２は、プラグ導電端子２４とレセプタクル導電端子とが接触する向きでのみレセプタクルシェル６２へ挿入可能となっている。【００２９】  この端子固定部２２は、例えば、アルミ等の長方形の金属板を、プラグ導電端子２４が固定されて外面となる面と壁面２６とになるように、長手方向の一端の側を折り曲げて作製される。なお、端子固定部２２とプラグ導電端子２４との間の電気的な絶縁を確保するために、例えば、プラグ導電端子２４が端子固定部２２に固定される側にポリイミドフィルム等の樹脂フィルムを用いたり、端子固定部２２の表面に絶縁処理を行っても良い。【００３０】  また、端子固定部２２の内部には、プラグシェル１２を構成する筒体の軸線に平行な方向にスライド可能なスライド部４２が収納されている。また、このスライド部４２は、舌片１４の湾曲部１６に接触することで舌片１４を屈曲させるスライド突出部４４を有している。【００３１】  また、プラグハウジング３８には、ＵＳＢコネクタ用プラグ１０がＵＳＢコネクタ用レセプタクルに嵌合された状態を解除不可に保持するためのロック機構が設けられている。このロック機構は、スライド部４２を手動でスライドさせるためのスライド把持部５２と、スライド把持部５２とスライド部４２をプラグハウジング３８内で連結するためのスライド連結部５４と、スライド連結部５４に接続され、スライド部４２とスライド把持部５２とスライド連結部５４とを同時にスライド不可に固定するロック部と、ロック部に接続され、ロック部のロック状態を固定するロックダイヤル部５６とから構成される。【００３２】  なお、スライド部４２とスライド把持部５２とスライド連結部５４とを同時にスライド不可に固定するロック部とロックダイヤル部５６の構成は、一般に用いられるダイヤル式の鍵機構等、どのような構成でも良い。【００３３】  このような構成となっている、本発明のロック機構付きＵＳＢコネクタ用プラグ１０が、ＵＳＢコネクタ用レセプタクルに係止され、抜き取り不可に固定される状態を説明する。【００３４】  最初にＵＳＢコネクタ用プラグ１０をＵＳＢコネクタ用レセプタクルに挿入する状態について、図３及び図４を用いて説明する。この図３及び図４において、スライド把持部５２は図中右側にスライドされているため、このスライド把持部５２にスライド連結部５４で連結されたスライド部４２も図中右側にスライドされている。【００３５】  この状態においては、スライド突出部４４は湾曲部１６に接触していないため、舌片１４は無負荷の状態となる。この結果、爪部１８は舌片１４の設けられているプラグシェル１２の一側面から突出せずにプラグシェ��１２内に収納されることとなり、ＵＳＢコネクタ用プラグ１０はＵＳＢコネクタ用レセプタクルに挿入可能となる。【００３６】  ＵＳＢコネクタ用プラグ１０をＵＳＢコネクタ用レセプタクルに挿入し、プラグシェル１２がレセプタクルシェル６２に嵌合された後、図１及び図２に示す通り、スライド把持部５２を図中左側にスライドさせる。【００３７】  このスライド把持部５２のスライドにより、スライド連結部５４で連結されたスライド部４２も図中左側にスライドされる。この状態において、スライド突出部４４は湾曲部１６に接触するため、舌片１４に負荷がかかり、舌片１４は根元部を支点にプラグシェル１２の外部に向かって屈曲する。この結果、爪部１８が舌片１４の設けられているプラグシェル１２の一側面から突出して、レセプタクルシェル６２に設けられたレセプタクルシェル舌片６４の自由端部の側の隙間６６に突出して、プラグシェル１２がレセプタクルシェル６２に嵌合された状態のまま係止される。【００３８】  この状態でロックダイヤル部５６を操作し、スライド部４２とスライド把持部５２とスライド連結部５４とを同時にスライド不可に固定することで、ＵＳＢコネクタ用プラグ１０が、ＵＳＢコネクタ用レセプタクルに抜き取り不可に固定される。【００３９】  このように、本発明のロック機構付きＵＳＢコネクタ用プラグ１０は、ＵＳＢの規格で定められている、レセプタクルシェルに設けられるレセプタクルシェル舌片の自由端部の側の隙間を利用してプラグシェルを係止させることが可能であるため、何らＵＳＢコネクタ用レセプタクルを加工する必要がなく、安価にＵＳＢコネクタを取り外し不可能にロック（固定）することが可能である。【００４０】  また、本発明のロック機構付きＵＳＢコネクタ用プラグ１０は、ＵＳＢコネクタ用プラグとして本来使用しない端子固定部２２の内部を利用して、該内部に空隙を設けることで、スライド部と舌片突出部としての湾曲部とスライド突出部とから構成される舌片屈曲機構を配設し、該舌片屈曲機構とプラグシェルの一側面に設けた爪部を有する片持ち状の舌片とでプラグシェルをレセプタクルシェルに係止する係止部とする構成となっているので、小型で簡便なＵＳＢコネクタのロック機構の提供が可能となる。【００４１】＜第２の実施例＞
図８は、本発明のロック機構付きＵＳＢコネクタ用プラグ１０の第２の実施例を示す図である。なお、第１の実施例と構成が同じ箇所は同じ符号を付して説明を省略する。【００４２】  この第２の実施例においては、周辺機器等に電気的に接続するための複数の導線が内部に設けられたケーブルと、プラグ導電端子２４と導線とを電気的に接続するための端子接続部との代わりに、データ記憶部３７が設けられており、本発明の第２の実施例のロック機構付きＵＳＢコネクタ用プラグ１０はいわゆるＵＳＢメモリとなっている。【００４３】  なお、この第２の実施例のデータ記憶部３７とプラグ導電端子２４を設けないロック機構付きＵＳＢコネクタ用プラグ１０を未使用のＵＳＢコネクタ用レセプタクルに挿入してロックすることにより、ＵＳＢコネクタ用レセプタクルを使用不可として、データ盗難防止に用いることも可能である。【００４４】＜第３の実施例＞
図９及び図１０は、本発明のロック機構付きＵＳＢコネクタ用プラグ１０の第３の実施例を示す図である。なお、第１の実施例と構成が同じ箇所は同じ符号を付して説明を省略する。【００４５】  図９は、本発明の第３の実施例のロック機構付きＵＳＢコネクタ用プラグがロック（取り外し不可）されている状態を示す外観図である。図１０は、本発明の第３の実施例のロック機構付きＵＳＢコネクタ用プラグのプラグシェルの平面図である。【００４６】  本発明の第３の実施例のロック機構付きＵＳＢコネクタ用プラグ１０は、断面矩形で両端が解放した筒体からなるプラグシェル１２と、プラグシェル１２の内部に設けられ、外面にプラグ導電端子２４が固定された端子固定部２２と、データ記憶部３７と、プラグシェル１２の一部とデータ記憶部３７とを内部に収納するプラグハウジング３８とから概略構成されている。【００４７】  また、プラグシェル１２の４つの側面のうちの一側面に設けられている舌片１４には、舌片１４と略平行な方向に片持ち状態でプラグシェル１２の内部に向かって突出する舌片状舌片突出部１９と、プラグシェル１２の外部に向かって立設された爪部１８とを有している。【００４８】  なお、この舌片１４は、無負荷の状態では、爪部１８が舌片１４の設けられているプラグシェル１２の一側面から突出している。また、この舌片１４は、プラグシェル１２の内部からの負荷によって、爪部１８が舌片１４の設けられているプラグシェル１２の一側面から突出しない（没する）ように、根元部を支点に屈曲可能となっている。【００４９】  端子固定部２２は、プラグシェル１２がレセプタクルシェル６２に嵌合する一端の側に、プラグシェル１２の一側面を延長してプラグシェル１２の内側に折り曲げて加工された壁面２６と、プラグ導電端子２４が固定される端子固定板２８とから構成されており、端子固定板２８の面を外面として、その内部に空隙が設けられている。また、端子固定板２８がプラグシェル１２の舌片１４が設けられた一側面に対向する他側面の側となるように、プラグシェル１２の内部に配設されている。【００５０】  また、端子接続部２２の内部に収納されているスライド部４２は、舌片１４の舌片状舌片突出部１９に接触することで舌片１４を屈曲させる舌片状スライド突出部４６を有している。【００５１】  このような構成となっている、本発明の第３の実施例のロック機構付きＵＳＢコネクタ用プラグ１０が、ＵＳＢコネクタ用レセプタクルに係止され、抜き取り不可に固定される状態を説明する。【００５２】  最初にＵＳＢコネクタ用プラグ１０をＵＳＢコネクタ用レセプタクルに挿入する状態について説明する。スライド把持部５２を図中右側にスライドさせると、このスライド把持部５２にスライド連結部５４で連結されたスライド部４２も図中右側にスライドされる。【００５３】  この状態において、舌片状スライド突出部４６は舌片状舌片突出部１９に接触するため、舌片１４に負荷がかかり、舌片１４は根元部を支点にプラグシェル１２の内部に向かって屈曲する。この結果、爪部１８は舌片１４の設けられているプラグシェル１２の一側面から突出せずにプラグシェル１２内に収納されることとなり、ＵＳＢコネクタ用プラグ１０はＵＳＢコネクタ用レセプタクルに挿入可能となる。【００５４】  ＵＳＢコネクタ用プラグ１０をＵＳＢコネクタ用レセプタクルに挿入し、プラグシェル１２がレセプタクルシェル６２に嵌合された後、スライド把持部５２を図中左側にスライドさせる。【００５５】  このスライド把持部５２のスライドにより、スライド連結部５４で連結されたスライド部４２も図中左側にスライドされる。この状態において、舌片状スライド突出部４６と舌片状舌片突出部１９との接触が解除されるため、舌片１４は無負荷の状態となり舌片１４の屈曲が解除される。この結果、爪部１８が舌片１４の設けられているプラグシェル１２の一側面から突出して、レセプタクルシェル６２に設けられたレセプタクルシェル舌片６４の自由端部の側の隙間６６に突出して、プラグシェル１２がレセプタクルシェル６２に嵌合された状態のまま係止される。【００５６】  この状態でロックダイヤル部５６を操作し、スライド部４２とスライド把持部５２とスライド連結部５４とを同時にスライド不可に固定することで、ＵＳＢコネクタ用プラグ１０が、ＵＳＢコネクタ用レセプタクルに抜き取り不可に固定される。【００５７】  この本発明の第３の実施例のロック機構付きＵＳＢコネクタ用プラグ１０は、端子固定部２２をプラグシェル１２の一部と板状の端子固定板２８とで構成するようにしているため、プラグ導電端子２４が固定されるために非導通とすることが必要な端子固定板２８に、アルミ等の金属より加工が面倒なエポキシ樹脂等を採用することが可能である。この結果、端子固定部２２のプラグ導電端子２４が固定される箇所に絶縁部材を設ける必要がなく、部品点数を少なくすることが可能となるとともに、加工も容易になる等の利点がある。【００５８】  本発明は、上述した実施例の手順に限定されることなく、この発明の趣旨を逸脱しない範囲で、種々の変形が可能であることは言うまでもない。例えば、上記の実施例においては、ＵＳＢコネクタ用プラグ１０をＵＳＢコネクタ用レセプタクルに挿入する場合に、爪部１８がプラグシェル１２の一側面から突出しないでプラグシェル１２内に収納されている状態で行うと説明したが、舌片１４は１ｍｍ未満の薄い金属板であるため、爪部１８がプラグシェル１２の一側面から突出した状態でＵＳＢコネクタ用プラグ１０をＵＳＢコネクタ用レセプタクルに挿入することも可能である。また、この場合に、あえてロック機構を設けないことで、未使用のＵＳＢコネクタ用レセプタクルを使用不可とするための構成とすることもまた可能である。【００５９】  また、上記の実施例においては、スライド部４２をスライドさせた際に、スライド部４２に設けられたスライド突出部４４が舌片突出部としての湾曲部１６または舌片状舌片突出部１９に接触することで舌片１４が屈曲するように説明をした。しかしながら、舌片屈曲機構の構成として、例えば、スライド部４２にスライド突出部４４を設けずに、スライド部４２の端部等の一部が舌片突出部に接触することで舌片１４が屈曲するような構成としても良いし、また、舌片１４に舌片突出部を設けずに、スライド部４２に設けられたスライド突出部４４が舌片１４に接触することで舌片１４が屈曲するような構成や、途中で折れ曲がることで弾性力が与えられたスライド部４２を端子固定部２２の内部に配置して、該スライド部４２がスライドされて該スライド部４２の端部や折れ曲がった箇所が舌片１４に接触することで舌片１４が屈曲するような構成としても良い。
【図面の簡単な説明】
【００６０】
【図１】  本発明のロック機構付きＵＳＢコネクタ用プラグがロックされている状態を示す外観図である。
【図２】  図１に示すＸ−Ｘ鎖線での断面図である。
【図３】  ロック機構付きＵＳＢコネクタ用プラグがロック解除されている状態を示す外観図である。
【図４】  図３に示すＸ’−Ｘ’鎖線での断面図である。
【図５】  プラグシェルの平面図である。
【図６】  図５に示すプラグシェルのＹ−Ｙ断面図である。
【図７】  レセプタクルシェルの平面図である。
【図８】  本発明の第２の実施例のロック機構付きＵＳＢコネクタ用プラグを示す図である。
【図９】  本発明の第３の実施例のロック機構付きＵＳＢコネクタ用プラグがロックされている状態を示す外観図である。
【図１０】  本発明の第３の実施例のロック機構付きＵＳＢコネクタ用プラグのプラグシェルの平面図である。
【符号の説明】
【００６１】１０  ＵＳＢコネクタ用プラグ
１２  プラグシェル
１４  舌片
１６  湾曲部
１８  爪部
１９  舌片状舌片突出部
２２  端子固定部
２４  プラグ導電端子
２６  壁面
２８  端子固定板
３２  ケーブル
３４  導線
３６  端子接続部
３８  プラグハウジング
４２  スライド部
４４  スライド突出部
４６  舌片状スライド突出部
５２  スライド把持部
５４  スライド連結部
５６  ロックダイヤル部
６２  レセプタクルシェル
６４  レセプタクルシェル舌片
６６  隙間
【図１】
2009170391.tif 000003
【図２】
2009170391.tif 000004
【図３】
2009170391.tif 000005
【図４】
2009170391.tif 000006
【図５】
2009170391.tif 000007
【図６】
2009170391.tif 000008
【図７】
2009170391.tif 000009
【図８】
2009170391.tif 000010
【図９】
2009170391.tif 000011
【図１０】
2009170391.tif 000012